(57)【特許請求の範囲】
【請求項１】
文字放送を受信し、受信文字情報を出力する受信手段と、
受信手段から出力された受信文字情報を表示する表示手段と、
取り込み指示操作手段で取り込みが指示された時点毎での複数の受信文字情報を取り込み用記憶手段に記憶させる取り込み手段と、
記録媒体に対するタイトル入力対象単位を選択する選択操作手段と、
取り込み用記憶手段からの所望の受信文字情報の呼び出しを指示する呼び出し操作手段と、
呼び出し操作手段と選択操作手段の操作に従い、取り込み用記憶手段に記憶された内、呼び出し操作手段で指示された所望の受信文字情報を読み出し、選択操作手段で選択された所望のタイトル入力対象単位のタイトル名として記録媒体に記録させるタイトル名記録手段と、
を備えたことを特徴とする記録媒体のタイトル入力装置。
【請求項２】
取り込み手段は、取り込み指示時点での受信文字情報を取り込み用記憶手段に記憶させる際、冗長な文字情報を削除するようにしたこと、
を特徴とする請求項１記載の記録媒体のタイトル入力装置。
【請求項３】
タイトル名記録手段は、取り込み用記憶手段に記憶された内、呼び出し操作手段で指示された所望の受信文字情報を読み出し、選択操作手段で選択された所望のタイトル入力対象のタイトル名として記録媒体に記録させる際、冗長な文字情報を削除するようにしたこと、
を特徴とする請求項１記載の記録媒体のタイトル入力装置。
【請求項４】
文字放送を受信し、受信文字情報を出力する受信手段と、
受信手段の出力する文字情報を表示する表示手段と、
取り込み指示操作手段で取り込みが指示された時点毎での複数の受信文字情報を取り込み用記憶手段に記憶させる取り込み手段と、
記録媒体に対するタイトル入力対象単位を選択する操作と、タイトル名文字の入力操作をする入力操作手段と、
ユーザの入力したタイトル名をタイトル入力対象単位別に記憶するタイトル名記憶手段と、
取り込み用記憶手段からの所望の受信文字情報の呼び出しを指示する呼び出し操作手段と、
入力操作手段での操作に従い、ユーザの入力したタイトル名文字をユーザ所望のタイトル入力対象単位に対応付けてタイトル名記憶手段に書き込むとともに、呼び出し操作手段で受信文字情報の呼び出し指示がされたとき、取り込み用記憶手段に記憶された所望の受信文字情報を読み出し、タイトル名記憶手段にユーザ所望のタイトル入力対象単位に対応付けて書き込むタイトル名入力処理手段と、
所定時に、タイトル名記憶手段に記憶されたタイトル入力対象単位別のタイトル名を記録媒体に記録させるタイトル名記録手段と、
を備えたことを特徴とする記録媒体のタイトル入力装置。
【請求項５】
取り込み手段は、取り込みが指示された時点での受信文字情報を取り込み用記憶手段に記憶させる際、冗長な文字情報を削除するようにしたこと、
を特徴とする請求項４記載の記録媒体のタイトル入力装置。
【請求項６】
タイトル名入力処理手段は、呼び出し操作手段での文字情報の呼び出し指示に従い、取り込み用記憶手段に記憶された所望の受信文字情報を読み出し、タイトル名記憶手段にユーザ所望のタイトル入力対象単位に対応付けて書き込む際、冗長な文字情報を削除するようにしたこと、
を特徴とする請求項４記載の記録媒体のタイトル入力装置。
【発明の詳細な説明】
【０００１】
【発明の属する技術分野】
本発明は記録媒体のタイトル入力装置に係り、とくにＭＤ（ミニディスク）等の記録媒体に対するタイトル入力作業を簡便に行えるようにした記録媒体のタイトル入力装置に関する。
【０００２】
【従来の技術】
ＭＤの１つに記録・再生が可能なＭＤ−ＭＯ（Ｍａｇｎｅｔ  Ｏｐｔｉｃａｌ）  がある。このＭＤ−ＭＯではプログラムエリアにトラック別の音楽信号を記録できるほか、ＵＴＯＣ（Ｕｓｅｒ’ｓ  Ｔａｂｌｅ  Ｏｆ  Ｃｏｎｔｅｎｔｓ）  エリアにディスクタイトル名（ＭＤ−ＭＯ１枚につき１つ）と、トラック別のトラックタイトル名を記録しておき、停止中はディスクタイトル名を表示させて所望のディスクか確認できるようにし、音楽信号の記録された或るトラックの再生中は当該トラックタイトル名を表示させて所望の曲か確認できるようにしてある。ディスクタイトル名、トラックタイトル名は、アルバム名、アルバム製作者名、曲名、アーティスト名に限定されず、映画のタイトル名、歌詞の一部、曲の解説、曲とは直接関係しない人名、地名、本の題名など、一目でディスク、トラックを判別可能な任意の文字情報である。
【０００３】
ＭＤ−ＭＯの記録・再生を行うＭＤレコーダは、ディスクタイトル名、トラックタイトル名を入力するために用いる文字表示器と、タイトル入力キー、文字キー（アルファベット、カタカナ、各種記号、数字、漢字、ひらがなを含む）、１文字削除キー、カーソルキー、ＥＮＴＥＲキーを有するキー操作部が備えられている。ディスクタイトル名を入力したい場合、タイトル入力キーを押し、タイトル入力モードとしたあと、数字キーでトラックナンバとして「０００」を入力し（トラックナンバ０００はディスクタイトル名の選択を示す）、タイトル入力対象単位がディスクであることを選択する。すると、文字表示器の上端側のヘッダ文行に「ＤＩＳＣ  ＴＩＴＬＥ」と表示され（図２０（１）参照）、ヘッダ文行の下の本文行の内、１行目の先頭文字位置にカーソル（図２０（１）の符号Ｋ参照）の表示がなされる。
【０００４】
そして、タイトル名が「ＢＥＳＴ  ＨＩＴ  ＯＬＤＩＥＳ／ＤＡＩＩＣＨＩ  」であれば、まず、文字キーで「Ｂ」を押すと、文字表示器の本文行の１行目の先頭文字位置に「Ｂ」が表示され、カーソルが２文字目に移動する。続いて、「Ｅ」、「Ｓ」、「Ｔ」、「  」（スペース）、「Ｈ」、「Ｉ」、「Ｔ」、「  」（スペース）、「Ｏ」、「Ｌ」、「Ｄ」、「Ｉ」、「Ｅ」、「Ｓ」、「／」、「Ｄ」、「Ａ」、「Ｉ」、「Ｉ」、「Ｃ」、「Ｈ」、「Ｉ」、「  」（スペース）と入力すると、文字表示器の本文行の１行目の２文字目以降から本文行の２行目にかけて「ＥＳＴ  ＨＩＴ  ＯＬＤＩＥＳ／ＤＡＩＩＣＨＩ  」が表示され、カーソルが本文行の２行目の１０文字目に移動する（図２０（２）参照）。
【０００５】
若し、「Ｏ」を「Ｑ」に間違えていたとき、カーソルキーの操作でカーソルを本文行の１行目の１０文字目の「Ｑ」に戻し（図２０（３）参照）、１文字削除キーを押すと、「Ｑ」の次の文字以降が１文字ずつ繰り上がり、「Ｑ」があった所に「Ｌ」が来る（カーソルは１０文字目のまま。図２０（４）参照）。ここで、「Ｏ」を入力すると「Ｌ」と１つ前の「  」（スペース）の間に、「Ｏ」が入り、「Ｌ」以降が１文字ずつ繰り下がる（カーソルは１１文字目に移動する。図２１（１）参照）。「Ｌ」を「ＬＬ」に間違えていたとき（図２１（２）参照）、カーソルキーでカーソルを本文行の１行目の１１文字目に合わせ、１文字削除キーを押すと、１１文字目の「Ｌ」が消え、１２文字目以降が１文字ずつ繰り上がる（カーソルは１１文字目のまま。図２１（３）参照）。「／」の入力を忘れていたならば（図２１（４）参照）、本文２行目の「Ｄ」にカーソルを合わせ、「／」を入力すると、「Ｄ」の前に「／」が入り、「Ｄ」以降が１文字ずつ繰り下がる（カーソルは本文２行目の２文字目に移動する。図２２（１）参照）。
正しく、入力し終えたところでＥＮＴＥＲキーを押すと、ディスクタイトル名が確定し、バッファメモリにディスクタイトル名として「ＢＥＳＴ  ＨＩＴ  ＯＬＤＩＥＳ／ＤＡＩＩＣＨＩ  」が登録される。
【０００６】
また、トラックナンバ００１の曲につき「オンリー・ユー／プラターズ」のトラックタイトル名を入力したいとき、タイトル入力モードのままで、数字キーで「００１」を入力し、音楽信号の記録された１番目のトラックをタイトル入力対象単位として選択する。すると、文字表示器のヘッダ文行に「ＴＮＯ  ００１  ＴＩＴＬＥ」と表示され、本文行の１行目の先頭文字にカーソル表示がなされる。続いて、文字キーで「オ」、「ン」、「リ」、「ー」、「・」、「ユ」、「ー」、「／」、「プ」、「ラ」、「タ」、「ー」、「ズ」、「  」（スペース）と入力すると、文字表示器の本文行の１行目に「オンリー・ユー／プラターズ」が表示され、カーソルが１４文字目に移動する（図２２（２）参照）。  正しく、入力し終えたところでＥＮＴＥＲキーを押すと、バッファメモリにトラックナンバ００１のトラックタイトル名として「オンリー・ユー／プラターズ  」が登録される。
【０００７】
以下、同様にして、ＭＤ−ＭＯの全てのトラックナンバまたは所望のトラックナンバにつきトラックタイトル名を入力し終えたとき、再度、タイトル入力キーを押すと、タイトル入力モードが解除し、ＭＤレコーダのシステムコントローラ（図示せず）に内蔵されたＵＴＯＣメモリにバッファメモリの内容が書き込まれる。このあと、電源オフ操作またはイジェクト操作をすると、ＭＤレコーダのシステムコントローラは、電源オフ制御またはイジェクト制御をする前に、ＵＴＯＣメモリの内容をＭＤ−ＭＯのＵＴＯＣエリアに記録させておく。
次に電源オン操作またはローディング操作をすると、電源オン制御またはディスクローディング制御をしたあと、最初にＭＤ−ＭＯのＵＴＯＣエリアからＵＴＯＣ情報を読み出し、ＵＴＯＣメモリに書き込む。以降、ＵＴＯＣメモリの情報に基づき停止中は文字表示器にディスクタイトル名である「ＢＥＳＴ  ＨＩＴ  ＯＬＤＩＥＳ／ＤＡＩＩＣＨＩ  」を表示させる。トラックナンバ００１の再生中は文字表示器にトラックタイトル名である「オンリー・ユー／プラターズ  」を表示させるので、ユーザは所望ディスクであるか否か、所望曲であるか否か一目で確認することができる。
【０００８】
【発明が解決しようとする課題】
しかし、従来のＭＤレコーダでは、所望のディスクタイトル名またはトラックタイトル名を入力しようとするとき、１文字ずつ正確にキー入力しなければならず、かなり手間の掛かる作業となっていた。
本発明は上記した従来技術の問題に鑑み、タイトル名文字情報の入力を簡便に行えるようにした記録媒体のタイトル入力装置を提供することを、その目的とする。
【０００９】
【課題を解決するための手段】
本発明の請求項１記載の記録媒体のタイトル入力装置では、文字放送を受信し、受信文字情報を出力する受信手段と、受信手段から出力された受信文字情報を表示する表示手段と、取り込み指示操作手段で取り込みが指示された時点毎での複数の受信文字情報を取り込み用記憶手段に記憶させる取り込み手段と、記録媒体に対するタイトル入力対象単位を選択する選択操作手段と、取り込み用記憶手段からの所望の受信文字情報の呼び出しを指示する呼び出し操作手段と、呼び出し操作手段と選択操作手段の操作に従い、取り込み用記憶手段に記憶された内、呼び出し操作手段で指示された所望の受信文字情報を読み出し、選択操作手段で選択された所望のタイトル入力対象単位のタイトル名として記録媒体に記録させるタイトル名記録手段と、を備えたことを特徴としている。
【００１０】
これにより、文字放送から受信した内、所望の複数の時点毎での複数の受信文字情報を取り込み、そのまま所望のタイトル入力対象のタイトル名に転用して記録媒体に記録させることができ、ユーザのタイトル入力作業の手間を大幅に軽減することができる。
【００１１】
本発明の請求項２記載の記録媒体のタイトル入力装置では、請求項１記載の装置において、取り込み手段は、取り込み指示時点での受信文字情報を取り込み用記憶手段に記憶させる際、冗長な文字情報を削除するようにしたこと、を特徴としている。
これにより、例えば、文字放送から受信し、取り込んだ所望の受信文字情報にスペース等の冗長な文字情報が含まれていても、記録媒体には冗長な文字情報を除いて記録できるので、あとで記録媒体からタイトル名を読み出し、表示させたときにタイトル名が見易くなる。また、タイトル名を見易くするために、スペース等の冗長な文字情報を削除する手間が省ける。
【００１２】
本発明の請求項３記載の記録媒体のタイトル入力装置では、請求項１記載の装置において、タイトル名記録手段は、取り込み用記憶手段に記憶された内、呼び出し操作手段で指示された所望の受信文字情報を読み出し、選択操作手段で選択された所望のタイトル入力対象のタイトル名として記録媒体に記録させる際、冗長な文字情報を削除するようにしたこと、を特徴としている。
これによっても、例えば、文字放送から受信し、取り込んだ所望の受信文字情報にスペース等の冗長な文字情報が含まれていても、記録媒体には冗長な文字情報を除いて記録できるので、あとで記録媒体からタイトル名を読み出し、表示させたときにタイトル名が見易くなる。また、タイトル名を見易くするために、スペース等の冗長な文字情報を削除する手間が省ける。
【００１３】
本発明の請求項４記載の記録媒体のタイトル入力装置では、文字放送を受信し、受信文字情報を出力する受信手段と、受信手段の出力する文字情報を表示する表示手段と、取り込み操作手段で取り込みが指示された時点毎での複数の受信文字情報を取り込み用記憶手段に記憶させる取り込み手段と、記録媒体に対するタイトル入力対象単位を選択する操作と、タイトル名文字の入力操作をする入力操作手段と、ユーザの入力したタイトル名をタイトル入力対象単位別に記憶するタイトル名記憶手段と、取り込み用記憶手段からの所望の受信文字情報の呼び出しを指示する呼び出し操作手段と、入力操作手段での操作に従い、ユーザの入力したタイトル名文字をユーザ所望のタイトル入力対象単位に対応付けてタイトル名記憶手段に書き込むとともに、呼び出し操作手段で受信文字情報の呼び出し指示がされたとき、取り込み用記憶手段に記憶された所望の受信文字情報を読み出し、タイトル名記憶手段にユーザ所望のタイトル入力対象単位に対応付けて書き込むタイトル名入力処理手段と、所定時に、タイトル名記憶手段に記憶されたタイトル入力対象単位別のタイトル名を記録媒体に記録させるタイトル名記録手段と、を備えたことを特徴としている。
【００１４】
これにより、文字放送から受信した内、所望の複数の時点毎での複数の受信文字情報を取り込み、所望の入力対象のタイトル名の一部に転用できるので、取り込んだ受信文字情報を一部変更したり、前後に新たな文字情報を追加するだけで所望のタイトル名を完成させることができ、ユーザのタイトル入力作業の手間を大幅に軽減することができる。
【００１５】
本発明の請求項５記載の記録媒体のタイトル入力装置では、請求項４記載の装置において、取り込み手段は、取り込みが指示された時点での受信文字情報を取り込み用記憶手段に記憶させる際、冗長な文字情報を削除するようにしたこと、を特徴としている。
これにより、例えば、文字放送から受信し、取り込もうとした所望の受信文字情報にスペース等の冗長な文字情報が含まれていても、タイトル名記憶手段には冗長な文字情報を除いて書き込めるので、タイトル名を見易くするために、スペース等の冗長な文字情報を削除する手間が省ける。
【００１６】
本発明の請求項６記載の記録媒体のタイトル入力装置では、請求項４記載の装置において、タイトル名入力処理手段は、呼び出し操作手段での文字情報の呼び出し指示に従い、取り込み用記憶手段に記憶された所望の受信文字情報を読み出し、タイトル名記憶手段にユーザ所望のタイトル入力対象単位に対応付けて書き込む際、冗長な文字情報を削除するようにしたこと、を特徴としている。
これにより、例えば、文字放送から受信し、取り込んだ所望の受信文字情報にスペース等の冗長な文字情報が含まれていても、記録媒体には冗長な文字情報を除いて書き込めるので、タイトル名を見易くするために、スペース等の冗長な文字情報を削除する手間が省ける。
【００１７】
【発明の実施の態様】
次に、図１を参照して本発明の１つの実施の態様を説明する。図１は本発明に係るシステムオーディオのブロック図である。
１はチューナユニットであり、この内、２はＦＭ文字多重放送の電波をキャッチするアンテナ、３はアンテナ２と接続されてユーザ所望の局から送信されたＦＭ文字多重放送を受信し、音声信号と受信文字情報を出力するＦＭ文字多重放送受信チューナ（以下、単に「チューナ」という）。ここでは、チューナ３はレベル１のモードで、番組名、曲名、アーティスト名、天気予報、ニュース、交通情報等の文字情報の受信、出力をするものとする。レベル１では、頁単位で本文の文字情報が受信され、本文１頁は２行×１５文字で構成されている。４は文字表示器であり、図８に示す如く、２．５行×１５文字分の表示サイズを有する。上端の０．５行分はヘッダ文行であり、ヘッダ文行の下の２行が本文行である。
【００１８】
５はバッテリバックアップまたはＥＥＰＲＯＭ等により電源オフ時もデータが保存される書き換え自在なメモリであり、この内、５Ａはチューナ３から出力された最新の本文の受信文字情報を１頁分記憶する表示バッファ領域（図１２参照）、５ＢはユーザがＦＭ文字多重放送からの取り込みを指示した受信文字情報を７頁分記憶する取り込み用バッファ領域（図１３参照）、５Ｃは後述するＭＤ−ＭＯを対象としたタイトル名の入力処理に用いるタイトル入力作業領域である（図１４〜図１７参照）。タイトル入力作業領域５Ｃは、トラックナンバ０００〜２５５のタイトル入力対象単位別に、各々、８０文字分を記憶する容量を持つ。６はキー操作部であり、チューナユニット１の各部の電源をオン／オフさせる電源オン／オフキー、チューナ３に対する選局操作をする選局キー、受信文字情報の取り込みを指示する取り込みキー、タイトル入力モードのオン／オフをするタイトル入力キー、タイトル名文字の入力とトラックナンバ０００〜２５５（この内、トラックナンバ０００はタイトル入力対象単位がディスクであることを示し、トラックナンバ００１〜２５５はタイトル入力対象単位が実際に音楽信号の記録されたトラックであることを意味する）の選択に用いる文字キー（アルファベット、カタカナ、記号、数字を含む）、１文字削除キー、カーソルキー、受信文字情報の呼び出しキー、呼び出す受信文字情報を選択するための次キー、ＥＮＴＥＲキー等を有している。
【００１９】
７はマイコン構成の第１システムコントローラであり、キー操作部６での電源オン／オフキーの操作に従いチューナユニット１の各部に対する電源オン／オフ制御をしたり、選局キーの操作に従いチューナ３に所定の同調制御信号を出力して所望局への同調制御をしたり、チューナ３から出力された最新の本文の受信文字情報を１頁単位でメモリ５の表示バッファ領域５Ａに格納するとともに、タイトル入力モードオフ時には文字表示器６を制御して本文の受信文字情報を表示させる。また、第１システムコントローラ７はタイトル入力モードオフ時に取り込みキーが押されると、その時点で表示バッファ領域５Ａに格納されている１頁分の本文の受信文字情報を、取り込み用バッファ領域５Ｂに書き込む。この際、受信文字情報中に連続いるスペースの如く冗長な文字情報が存在するときは削除して書き込む。
【００２０】
更に、第１システムコントローラ７はキー操作部４にタイトル入力キーが押されたとき、タイトル入力モードとし、文字キー（アルファベット、カタカナ、スペース、記号、数字、漢字、ひらがなを含む）、１文字削除キー、カーソルキー、呼び出しキー、次キー、ＥＮＴＥＲキーの操作に従い、ディスクを入力対象単位とするディスクタイトル名、音楽信号の記録された所望のトラックを入力対象単位とするトラックタイトル名のタイトル文字情報入力処理を行う。この内、呼び出しキーが押された場合、第１システムコンロトーラ７はそれまでに取り込み用バッファ領域５Ｂに取り込まれた本文１頁文の受信文字情報を文字表示器６に表示させ、次キーの操作に従い受信文字情報を代えて表示させる。そして、所望の受信文字情報が表示されたところで、ＥＮＴＥＲキーが押されると、表示中の受信文字情報を取り込み用バッファ領域５Ｂから、タイトル入力作業領域５Ｃに、ディスクまたはトラックナンバ００１〜２５５のトラックの内、ユーザが事前に選択した所望のタイトル入力対象単位に対応付けて書き込む。
タイトル入力キーが再度押されたとき、第１システムコントローラ７は後述する第２システムコントローラにタイトル入力作業領域５Ｃの内容を転送し、タイトル入力モードをオフする。
【００２１】
１０はＭＤレコーダユニットであり、この内、１１は記録・再生が可能なＭＤ−ＭＯ、１２はＭＤ−ＭＯ１１をトレイ（図示せず）に載せ、ローディング／アンローディングを行うローディング部、１３はＭＤ−ＭＯ１１の記録情報の再生をしたり、ＭＤ−ＭＯ１１に情報記録したりするＭＤ記録・再生部、１４はローディングキー、イジェクトキー、ＰＬＡＹキー、ＳＴＯＰキー、電源オン／オフキー等を有するキー操作部、１５はＭＤ−ＭＯ１１のＵＴＯＣエリアから読み出したＵＴＯＣ情報を記憶するＵＴＯＣメモリ、１６はディスクタイトル名、トラックタイトル名等を表示する文字表示器である。
【００２２】
１７はマイコン構成の第２システムコントローラであり、キー操作部１４で電源オン／オフキーが押されると、ＭＤレコーダユニット１０の各部に対する電源オン／オフ制御をし、電源オン状態でローディングキーが押されると、ローディング部１２を制御してトレイに乗ったＭＤ−ＭＯ１１をＭＤ記録・再生部１３にローディングさせ、続いて、ＭＤ記録・再生部１３を制御してＵＴＯＣエリアからＵＴＯＣ情報を読み出させ、ＵＴＯＣメモリ１５に格納し、ＵＴＯＣ情報中のタイトル名情報にディスクタイトル名が有るときは文字表示器１６に表示させる。キー操作部１４のＰＬＡＹキーが押されると、ＭＤ記録・再生部１３に対しＰＬＡＹ制御してＭＤ−ＭＯ１１を１曲目（トラックナンバ００１）から順に再生させ、ＵＴＯＣ情報中のタイトル名情報に再生中のトラックのトラックタイトル名が有るときは文字表示器１６に表示させる。ＳＴＯＰキーが押されれば、ＳＴＯＰ制御をする。
【００２３】
また、第２システムコントローラ１７は、チューナユニット１の第１システムコントローラ７からＵＴＯＣ情報の転送要求信号を入力すると、ＵＴＯＣメモリ１５のＵＴＯＣ情報の内、タイトル名情報を第１システムコントローラ７に転送し、第１システムコントローラ７からタイトル名情報の転送を受けると、ＵＴＯＣメモリ１５のＵＴＯＣ情報の内、タイトル名情報を書き換える。その後、キー操作部１４のイジェクトキーが押されると、ＭＤ記録・再生部１３を制御してＵＴＯＣメモリ１５の内容をＭＤ−ＭＯ１１のＵＴＯＣエリアに記録させたあと、ローディング部１２を制御してトレイに乗ったＭＤ−ＭＯ１１をアンローディングさせる。電源オフ操作がされたときも、ＭＤ記録・再生部１３を制御してＵＴＯＣメモリ１５の内容をＭＤ−ＭＯ１１のＵＴＯＣエリアに記録させたあと、電源オフ制御をする。
【００２４】
次に上記した実施の態様の動作を図２〜図１９を参照して説明する。図２〜図４は第１システムコントローラ７の制御処理を示すフローチャート、図５〜図７は第２システムコントローラ１７の制御処理を示すフローチャート、図８〜図１１は文字表示器６の表示内容の説明図、図１２はメモリ５の表示バッファ領域５Ａに格納されるデータの説明図、図１３はメモリ５の取り込み用バッファ領域５Ｂに格納されるデータの説明図、図１４〜図１７はタイトル入力作業領域５Ｃに格納されるデータの説明図、図１８はＭＤ−ＭＯ１１の記録内容の説明図、図１９は文字表示器１６の表示内容の説明図である。
【００２５】
なお、タイトル入力モードオフ時、第１システムコントローラ７は文字表示器１６のヘッダ文行にＦＭ文字多重放送から受信したヘッダ文を表示させるが、こでは、便宜上、ヘッダ文の受信・表示に関する説明を省略する。また、予め、メモリ５の取り込み用バッファ領域５Ｂには何も記憶されていないものとする。更に、ＭＤ−ＭＯ１１にはトラックナンバ００１と００２のトラックに２曲が記録済であり、ＵＴＯＣエリアに記録されたタイトル名情報には、トラックナンバ００１のトラックタイトル名として「オンリー・ユー／プラターズ  」が記録されているものとする（図１８（１）参照）。
【００２６】
（１）受信文字情報の取り込み
チューナユニット１のキー操作部４の電源オン／オフキーを押し、電源オン操作をすると、第１システムコントローラ７はチューナユニット１の各部に対する電源オン制御をし、チューナ３を稼働状態とするとともに前回、電源オフ直前に受信していた局に同調させる。ここでは、ＦＭ文字多重放送局に同調したものとする。チューナ３はＦＭ文字多重放送局から受信した音声信号を出力し、また、ＦＭ文字多重放送局から受信したレベル１の本文の受信文字情報を頁単位で出力する。第１システムコントローラ７は電源オン後、表示バッファ領域５Ａをクリアし、タイトル入力モードオフ状態とし、取り込み用バッファ領域５Ｂに存在する頁単位の受信文字情報を数えてライトポインタＷＰとする。ここではＷＰ＝０となる（図２のステップＳ５０）。第１システムコントローラ７はチューナ３から本文１頁文の受信文字情報を入力する度に、表示バッファ領域５Ａに書き込むとともに文字表示器６に表示させる（ステップＳ５１、Ｓ５２、図８（１）、図１２（１）参照）。
【００２７】
例えば、或るＣＤを再生して放送しており、該ＣＤのアルバム名「ＯＬＤＩＥＳ」と、製作者名「ＤＡＩＩＣＨＩ  ＣＯ．」が本文の同一頁の文字情報として送信されていたとき、送信側では、「ＯＬＤＩＥＳ」の前後に適当数のスペースコードを含めて文字表示器６の本文行の１行目の中央に「ＯＬＤＩＥＳ」が表示されるようにし、同様に、「ＤＡＩＩＣＨＩ  ＣＯ．」の前後に適当数のスペースコードを含めて文字表示器６の本文行の２行目の中央に「ＤＡＩＩＣＨＩ  ＣＯ．」が表示されるようにしている（図８（１）、図１２（１）参照）。
【００２８】
放送中のＣＤ音楽の１曲目と２曲目が、たまたま事前にユーザがＭＤ−ＭＯ１１の１曲目と２曲目としてダビングをしたものであり、ＭＤ−ＭＯ１１のディスクタイトル名と２曲目のトラックタイトル名が未入力となっており、「ＯＬＤＩＥＳ」と「ＤＡＩＩＣＨＩ」をディスクタイトル名の一部として入力したい場合、キー操作部４の取り込みキーを押す。すると、第１システムコントローラ７は表示バッファ領域５Ａに記憶された本文１頁分の受信文字情報を取り込み用バッファ領域４ＢのＷＰの示すアドレス０に書き込む（ステップＳ５３、Ｓ５４）。そして、ＷＰをインクリメントして１とする（ステップＳ５５）。この際、受信文字情報中のスペースは、スペース以外の文字の直後の１つを残して他を全て削除することで冗長な文字情報を除き、あとでタイトル名を構成する文字情報に転用したときに無駄な空きが出来ないようにする。
【００２９】
具体的には、図４のフローチャートに示す如く、まず、直前の文字コードがスペースであるか否かを示すフラグＦ（０；スペース以外、１；スペース）をクリアし、表示バッファ領域５Ａでの文字位置ｍと取り込み用バッファ領域５Ｂでの文字位置ｎをともに１とし、表示バッファ領域５Ａの全文字コード数をＬとする。ここでは、表示バッファ領域５Ａの記憶データが図１２（１）の如くなっているものとすると、Ｌ＝３０である（図４のステップＳ１００）。そして、表示バッファ領域５Ａのｍ＝１番目の文字コード（ここではスペース）をｄａｔａと置く（ステップＳ１０１）。最初はｍ＝１なので（ステップＳ１０２でＹＥＳ）、ステップＳ１０３に進み、ｄａｔａはスペース以外かチェックし、ＮＯなので取り込み用バッファ領域５Ｂの書き込みはせず、Ｆを１とする（ステップＳ１０４でＹＥＳ、Ｓ１０５）。そして、ｍをインクリメントして２とし（ステップＳ１０６）、まだＬ＋１に達していないので（ステップＳ１０７でＮＯ）、ステップＳ１０１に戻る。
【００３０】
ステップＳ１０１では、表示バッファ領域５Ａのｍ＝２番目の文字コード（ここでもスペース）をｄａｔａと置き、ｍ＝１でないので（ステップＳ１０２でＮＯ）、ステップＳ１０８に進み、ｄａｔａはスペース以外かチェックし、ＮＯなので続いてＦは０かチェックし（ステップＳ１０９）、ここでもＮＯなので取り込み用バッファ領域５Ｂの書き込みはせず、Ｆを１とする（ステップＳ１０４でＹＥＳ、Ｓ１０５）。そして、ｍをインクリメントして３とし（ステップＳ１０６）、まだＬ＋１に達していないので（ステップＳ１０７でＮＯ）、ステップＳ１０１に戻る。
【００３１】
表示バッファ領域５Ａの４文字目のスペースまで、同様に処理されて取り込み用バッファ領域５Ｂには書き込まれない。ｍが５となり、ステップＳ１０１で表示バッファ領域５Ａの５番目の文字コード（「Ｏ」）がｄａｔａとなると、ステップＳ１０８の判断で、ｄａｔａがスペース以外なのでＹＥＳとなり、このとき、ステップＳ１１０に進み、ｄａｔａを取り込み用バッファ領域５ＢのアドレスＷＰ＝０のｎ＝１番目の文字コードとして書き込み、ｎをインクリメントして２とする（図１３（１）参照）。しかるのち、ｄａｔａがスペースでないので（ステップＳ１０４でＮＯの判断）、Ｆをクリアし、ｍを６とする（ステップＳ１１１、Ｓ１０６）。
ステップＳ１０１に戻って、表示バッファ領域５Ａの６番目の文字コード（「Ｌ」）がｄａｔａとなると、ステップＳ１０８でＹＥＳなのでステップＳ１１０に進み、ｄａｔａを取り込み用バッファ領域５ＢのアドレスＷＰのｎ＝２番目の文字コードとして書き込み、ｎをインクリメントして３とする（図１３（１）参照）。しかるのち、Ｆをクリアし、ｍを７とする（ステップＳ１１１、Ｓ１０６）。
【００３２】
表示バッファ領域５Ａの１０文字目の「Ｓ」まで、同様に処理されて取り込み用バッファ領域５Ｂに書き込まれ、ｎ＝７、ｍが１１となり、ステップＳ１０１で表示バッファ領域５Ａの１１番目の文字コード（スペース）がｄａｔａとなると、ステップＳ１０８の判断で、ｄａｔａがスペースなのでＮＯとなるが、Ｆ＝０のため次のステップＳ１０９の判断でＹＥＳとなり、ステップＳ１１０に進み、ｄａｔａを取り込み用バッファ領域５ＢのアドレスＷＰのｎ＝７番目の文字コードとして書き込み、ｎをインクリメントして８とする（図１３（１）参照）。しかるのち、ｄａｔａがスペースなので（ステップＳ１０４でＹＥＳの判断）、Ｆを１とし、ｍを１２とする（ステップＳ１０５、Ｓ１０６）。
ステップＳ１０１に戻って、表示バッファ領域５Ａの１２番目の文字コード（スペース）がｄａｔａとなると、ステップＳ１０８、Ｓ１０９でともにＮＯとなり、取り込み用バッファ領域５Ｂへの書き込みはせず、Ｆを１とする（ステップＳ１０４でＹＥＳ、Ｓ１０５）。そして、ｍをインクリメントして１３とし（ステップＳ１０６）、ステップＳ１０１に戻る。
【００３３】
表示バッファ領域５Ａの１７文字目のスペースまで、同様に処理されて取り込み用バッファ領域５Ｂには書き込まれない。ｍが１８となり、ステップＳ１０１で表示バッファ領域５Ａの１８番目の文字コード（「Ｄ」）がｄａｔａとなると、ステップＳ１０８の判断で、ｄａｔａがスペース以外なのでＹＥＳとなり、ステップＳ１１０に進み、ｄａｔａを取り込み用バッファ領域５ＢのアドレスＷＰのｎ＝８番目の文字コードとして書き込み、ｎをインクリメントして９とする（図１３（１）参照）。しかるのち、ｄａｔａがスペースでないので（ステップＳ１０４でＮＯの判断）、Ｆをクリアし、ｍを１９とする（ステップＳ１１１、Ｓ１０６）。
【００３４】
以下、同様にして、表示バッファ領域５ＡのアドレスＷＰ＝０の１９〜２９文字目までが取り込み用バッファ領域５Ｂの９〜１９文字目に書き込まれ、表示バッファ領域５Ａの３０文字目のスペースは取り込み用バッファ領域５Ｂには書き込まれない。
この結果、取り込み用バッファ領域５Ｂのアドレス０には、先頭文字から順に、「ＯＬＤＩＥＳ  ＤＡＩＩＣＨＩ  ＣＯ．  」と記憶され、表示バッファ領域５Ａのスペースは、スペース以外の文字の直後の１つを除いて削除される（図１２（１）、図１３（１）参照）。
【００３５】
次に、当該ＣＤの２曲目の曲名「スタンド・バイ・ミー」とアーティスト名「ベン・Ｅ・キング」が本文１頁分の文字情報として受信及び表示されたときに（図８（２）、図１２（２）参照）、キー操作部４の取り込みキーを押す。すると、第１システムコントローラ７は表示バッファ領域５Ａの受信文字情報を取り込み用バッファ領域５ＢのＷＰ＝１の示すアドレスに書き込む（ステップＳ５３、Ｓ５４）。そして、ＷＰをインクリメントして２とする（ステップＳ５５）。この際も、受信文字情報中のスペースは、スペース以外の文字の直後の１つを除いて削除することで冗長な文字情報を除き、あとでタイトル名文字情報に転用したときに無駄な空きが出来ないようにする。
この結果、取り込み用バッファ領域５Ｂのアドレス１には、先頭文字位置から順に、「スタンド・バイ・ミー  ベン・Ｅ・キング  」と記憶され、表示バッファ領域５Ａのスペースは、スペース以外の文字の直後の１つを除いて削除される（図１２（２）、図１３（２）参照）。
【００３６】
（２）ＭＤ−ＭＯのセット、再生
ＭＤレコーダユニット１０のキー操作部１４の電源オン／オフキーを押し、電源オン操作をすると、第２システムコントローラ１７はＭＤレコーダユニット１０の各部に対し電源オン制御をする（図５のステップＳ８０）。このあと、ＭＤ−ＭＯ１１をトレイに載せ、キー操作部１４のローディングキーを押すと、第２システムコントローラ１７はローディング部１２に対しローディング制御し、ＭＤ−ＭＯ１１をＭＤ記録・再生部１３にセットさせたのち、ＭＤ記録・再生部１３を制御してＵＴＯＣエリアからＵＴＯＣ情報を読み出させ、ＵＴＯＣメモリ１５に格納する（ステップＳ８１〜Ｓ８３）。読み出したＵＴＯＣ情報中にディスクタイトル名が存在すれば、文字表示器１６に表示させるが（ステップＳ８４）、ここでは、ＵＴＯＣ情報にはディスクタイトル名が存在しないので何も表示されない。
【００３７】
ＭＤ−ＭＯ１１を再生させたい場合、キー操作部１４のＰＬＡＹキーを押すと、第２システムコントローラ１７がＣＤ記録・再生部１３に対しＰＬＡＹ制御をし、１曲目の先頭から順に再生させる。再生中のトラックにつき、トラックタイトル名が存在すれば、文字表示器１６に表示させる（ステップＳ８５、Ｓ８６）。ここでは、１曲目のトラックタイトル名として「オンリー・ユー／プラターズ」が記録されているので、１曲目の再生中に文字表示器１６に表示される（図１９（２）参照）。その後、ＳＴＯＰキーを押すと、第２システムコントローラ１７はＣＤ記録・再生部１３に対しＳＴＯＰ制御をし、再生動作を停止させる（ステップＳ８７、Ｓ８８）。
【００３８】３）ディスクタイトル名の入力
ユーザがＭＤ−ＭＯ１１に対してディスクタイトル名と、２曲目のトラックタイトル名を入力したい場合、ＭＤ−ＭＯ１１をＭＤレコーダユニット１０のＭＤ記録・再生部１３にセットしたあと、チューナユニット１のキー操作部４のタイトル入力キーを押す。第１システムコントローラ７はタイトル入力モードとなり、まず、ＭＤレコーダユニット１０の第２システムコントローラ１７へＵＴＯＣ情報の転送要求信号を送信する。該要求信号を受けた第２システムコントローラ１７は割り込み処理で、ＵＴＯＣメモリ１５に格納されたＵＴＯＣ情報の内、タイトル名情報を全て第１システムコントローラ７に送信して転送し、該転送を受けた第１システムコントローラ１７は、タイトル入力作業領域５Ｃにトラックナンバ０００〜２５５に対応付けて格納する（図２のステップＳ５６、Ｓ５７、図６のステップＳ１２０、図１４（１）参照）。
【００３９】
しかるのち、第１システムコントローラ７は、トラックナンバの入力待ちとなり、文字表示器６の本文行をクリアし、ヘッダ文行に「ＴＮＯ」を表示させる（図３のステップＳ６０、図８（３）参照）。ユーザが数字キーでタイトル入力対象単位がディスクであることを示す「０００」を入力すると、メモリ５のタイトル入力作業領域５Ｃにｊ＝０００を書き込み、タイトル名入力対象単位がディスクであることを登録し（図１４（１）参照）、文字表示器６のヘッダ文行に「ＤＩＳＣ  ＴＩＴＬＥ」を表示させる。タイトル入力作業領域５Ｃにトラックナンバ０００に係るディスクタイトル名が存在すれば、文字表示器６の本文行を使って表示させるが、ここでは存在しないので何も表示せず、本文行の１行目の１文字目にカーソル（図８（４）の符号Ｋ参照）を表示する（ステップＳ６１、Ｓ６２、図８（４）参照）。
【００４０】
ユーザがディスクタイトル名として「ＢＥＳＴ  ＨＩＴ  ＯＬＤＩＥＳ／ＤＡＩＩＣＨＩ  」を入力したい場合、まず、文字キーで「Ｂ」を押すと、タイトル入力作業領域５Ｃに、ｊ＝０００のトラックナンバに対応するタイトル名文字情報の先頭文字として「Ｂ」を登録し、文字表示器６の本文行の１行目の先頭文字位置に「Ｂ」を表示させ、カーソルを２文字目に移動する（ステップＳ６３、Ｓ６４）。続いて、「Ｅ」、「Ｓ」、「Ｔ」、「  」（スペース）、「Ｈ」、「Ｉ」、「Ｔ」、「  」（スペース）と入力すると、タイトル入力作業領域５Ｃに、ｊ＝０００のトラックナンバに対応するタイトル名文字情報の２文字目以降として、「ＥＳＴ  ＨＩＴ  」を登録し、文字表示器６の本文１行目の２文字目以降に「ＥＳＴ  ＨＩＴ  」を表示させ、カーソルを１０文字目に移動する（ステップＳ６３、Ｓ６４。図９（１）、図１４（２）参照）。
【００４１】
次の「ＯＬＤＩＥＳ／ＤＡＩＩＣＨＩ」の部分は、先に文字多重放送から取り込んだ受信文字情報を転用する。まず、呼び出しキーを押すと、第１システムコントローラ７は取り込み用バッファ領域５Ｂの読み出しポインタＲＰを０とし、取り込み用バッファ領域５ＢのアドレスＲＰ＝０から本文１頁分の受信文字情報「ＯＬＤＩＥＳ  ＤＡＩＩＣＨＩ  ＣＯ．  」を読み出し、文字表示器６の本文行に表示させる（ステップＳ６５〜Ｓ６７、図９（２）、図１４（２）参照）。
【００４２】
ユーザが所望の受信文字情報であることを確認したあと、ＥＮＴＥＲキーを押すと、第１システムコントローラ７は取り込み用バッファ領域５ＢのアドレスＲＰ＝０の受信文字情報を、タイトル入力作業領域５Ｃに、ｊ＝０００のトラックナンバに対応するタイトル名文字情報の一部として、直前のディスクタイトル名の入力画面（図９（１）参照）で表示していたタイトル名文字情報の内、カーソル位置と１つ前の文字位置との間に挿入するように、「ＯＬＤＩＥＳ  ＤＡＩＩＣＨＩ  ＣＯ．  」を書き込む（書き加える）。そして、文字表示器６をディスクタイトル名の入力画面に戻し、文字表示器６の本文行の１行目の「ＢＥＳＴ  ＨＩＴ  」の後から本文行の２行目にかけて「ＯＬＤＩＥＳ  ＤＡＩＩＣＨＩ  ＣＯ．  」を追加表示させ、カーソルを本文行の２行目の１３文字目に移動する（ステップＳ６８、Ｓ６９、図９（３）、図１５（１）参照）。
【００４３】
ディスクタイトル名が「ＢＥＳＴ  ＨＩＴ  ＯＬＤＩＥＳ  ＤＡＩＩＣＨＩ  ＣＯ．  」のままで良いときは、ＥＮＴＥＲキーを押して確定させれば良いが、「ＯＬＤＩＥＳ」と「ＤＡＩＩＣＨＩ」の間を「／」（スラッシュ）で区切り、最後の「ＣＯ．」を削除したいとき、まず、カーソルを「ＯＬＤＩＥＳ」と「ＤＡＩＩＣＨＩ」の間の「  」（スペース）に合わせ（本文２行目の先頭位置）、１文字削除キーを押すと、タイトル入力作業領域５Ｃのｊ＝０００のトラックナンバに対応するタイトル名文字情報と、文字表示器６において、「  」（スペース）の次の文字以降が１文字ずつ繰り上がり、「  」（スペース）があった所に「Ｄ」が来る（カーソルは本文２行目の先頭のまま。ステップＳ６３、Ｓ６４。図９（４）、図１５（２）参照）。ここで、「／」を入力すると、タイトル入力作業領域５Ｃのｊ＝０００のトラックナンバに対応するタイトル名文字情報と、文字表示器６において、「Ｄ」と１つ前の「Ｓ」の間に「／」が入り、「Ｄ」以降が１文字ずつ繰り下がる（カーソルは本文２行目の２文字目に移る。ステップＳ６３、Ｓ６４、図１０（１）、図１６（１）参照）。
【００４４】
続いて、カーソルを「ＣＯ．」の「Ｃ」に合わせ１文字削除キーを１回ずつ計４回押すと、タイトル名入力作業領域５Ｃのｊ＝０００のトラックナンバに対応するタイトル名文字情報と文字表示器２６において、「Ｃ」、「Ｏ」、「．」、「  」（スペース）が１文字ずつ削除され、カーソルは「ＤＡＩＩＣＨＩ」の直後の「  」（スペース）の次に移動する（ステップＳ６３、Ｓ６４、図１０（２）、図１６（２）参照）。
これにより、所望のディスクタイトル名が完成したので、ＥＮＴＥＲキーを押すと、第１システムコントローラ７はディスクタイトル名をタイトル入力作業領域５Ｃのｊ＝０００のトラックナンバに対応するタイトル名文字情報として確定し、文字表示器６の本文行を消し、ヘッダ文行に「ＴＮＯ」を表示してトラックナンバの入力待ちとなる（ステップＳ７０、Ｓ６０、図８（３）参照）。
【００４５】
（４）トラックタイトル名の入力
次に、音楽信号の記録されたトラックの内、トラックナンバ００２をタイトル入力対象単位としてタイトル名を入力したいとき、数字キーで「００２」を入力すると、第１システムコントローラ７はメモリ５のタイトル入力作業領域５Ｃにｊ＝００２を書き込み、タイトル入力対象単位がトラックナンバ００２のトラックであることを登録したあと、文字表示器６のヘッダ文行に「ＴＮＯ  ００２  ＴＩＴＬＥ」と表示させる。また、タイトル入力作業領域５Ｃにトラックナンバ００２に係るトラックタイトル名文字情報が存在すれば、文字表示器６の本文行を使って表示させるが、ここでは存在しないので何も表示せず、本文行の１行目の１文字目にカーソルを表示する（ステップＳ６１、Ｓ６２。図１０（３）参照）。
【００４６】
ユーザがトラックタイトル名として「スタンド・バイ・ミー／ベン・Ｅ・キング」を入力したい場合、先に文字多重放送から取り込んだ受信文字情報をそのまま転用する。呼び出しキーを押すと、第１システムコントローラ７は取り込み用バッファ領域５Ｂの読み出しポインタＲＰを０とし、取り込み用バッファ領域５ＢのアドレスＲＰ＝０から受信文字情報「ＯＬＤＩＥＳ  ＤＡＩＩＣＨＩ  ＣＯ．  」を読み出し、文字表示器６に表示させる（ステップＳ６５〜Ｓ６７、図９（２）参照）。ユーザが次キーを押すと、第１システムコントローラ７はＲＰをインクリメントして１とし、取り込み用バッファ領域５ＢのアドレスＲＰから次の本文１頁分の受信文字情報「スタンド・バイ・ミー  ベン・Ｅ・キング  」を読み出し、文字表示器６に表示させる（ステップＳ７１、Ｓ７２、図１０（４）参照）。
【００４７】
所望の受信文字情報であることを確認したあと、ＥＮＴＥＲキーを押すと、第１システムコントローラ７は取り込み用バッファ領域５ＢのアドレスＲＰの受信文字情報を、タイトル入力作業領域５Ｃに、ｊ＝００２のトラックナンバに対応するタイトル名文字情報の一部として、直前のトラックタイトル名の入力画面（図９（５）参照）で表示していたタイトル名文字情報の内、カーソル位置と１つ前の文字位置との間に挿入するように、「スタンド・バイ・ミー  ベン・Ｅ・キング  」を書き込む（書き加える）。そして、文字表示器６をトラックタイトル名の入力画面に戻し、文字表示器６の本文行のカーソル位置から本文行の２行目にかけて「スタンド・バイ・ミー  ベン・Ｅ・キング  」を追加表示させ、カーソルを本文行の２行目の５文字目に移動する（ステップＳ６８、Ｓ６９、図１１（１）、図１７（１）参照）。
【００４８】
トラックタイトル名が「スタンド・バイ・ミー  ベン・Ｅ・キング  」のままで良いときは、ＥＮＴＥＲキーを押して確定させれば良いが、「スタンド・バイ・ミー」と「ベン・Ｅ・キング」の間を「／」（スラッシュ）で区切りたいとき、まず、カーソルを「スタンド・バイ・ミー」と「ベン・Ｅ・キング」の間の「」（スペース）に合わせ（本文１行目の１１文字目）、１文字削除キーを押すと、タイトル入力作業領域５Ｃのｊ＝００２のトラックナンバに対応するタイトル名文字情報と文字表示器６において、「  」（スペース）の次の文字以降が１文字ずつ繰り上がり、「  」（スペース）があった所に「ベ」が来る（カーソルは本文１行目の１１文字目のまま。ステップＳ６３、Ｓ６４。図１１（２）。ここで、「／」を入力すると、タイトル入力作業領域５Ｃのｊ＝００２のトラックナンバに対応するタイトル名文字情報と、文字表示器６において、「ベ」と１つ前の「ー」の間に「／」が入り、「ベ」以降が１文字ずつ繰り下がる（カーソルは本文１行目の１２文字目に移る。ステップＳ６３、Ｓ６４、図１１（３）、図１７（２）参照）。
【００４９】
これにより、所望のトラックタイトル名が完成したので、ＥＮＴＥＲキーを押すと、第１システムコントローラ７はトラックタイトル名をタイトル入力作業領域５Ｃのｊ＝００２のトラックナンバに対応するタイトル名文字情報として確定し、文字表示器６の本文行を消し、ヘッダ文行に「ＴＮＯ」を表示してトラックナンバの入力待ちとなる（図３のステップＳ７０、Ｓ６０、図８（３）参照）。
【００５０】
（５）ＭＤ−ＭＯへのタイトル名の記録
他に、タイトル名を入力したいトラックナンバが存在しないので、タイトル入力キーを押すと、第１システムコントローラ７はタイトル入力モードをオフし、第２システムコントローラ１７に割り込みを掛けてタイトル入力作業領域５Ｃの内容を転送し、第２システムコントローラ１７は割り込み処理で、第１システムコントローラ７から転送された内容でＵＴＯＣメモリ１５のＵＴＯＣ情報中のタイトル名情報を書き換える（図３のステップＳ７３〜Ｓ７５、図７のステップＳ１３０）。
このあと、ＭＤ記録・再生部１３が停止中にイジェクト操作をすると、第２システムコントローラ１７はＭＤ記録・再生部１３を制御し、ＵＴＯＣメモリ１５の内容をＭＤ−ＭＯ１１のＵＴＯＣエリアに記録させたあと、ローディング部１２を制御してアンローディングさせる（図５のステップＳ８９、９０。図１８（２）参照）。ＭＤ記録・再生部１３が停止中に電源オフ操作をしたときも、ＵＴＯＣメモリ１５の内容をＭＤ−ＭＯ１１のＵＴＯＣエリアに記録させたあと、電源オフ制御をする（ステップＳ９１、Ｓ９２）。
【００５１】
（６）その後、タイトル名を記録したＭＤ−ＭＯ１１を再びローディングさせたとき、ＭＤ記録・再生部１３が停止中は文字表示器１６にディスクタイトル名として「ＢＥＳＴ  ＨＩＴ  ＯＬＤＩＥＳ／ＤＡＩＩＣＨＩ  」が表示されるので（ステップＳ８１〜Ｓ８３、図１９（１）参照）、ユーザは所望のディスクか否か一目で確認することができ、トラックナンバ００１のの再生中は、当該トラックのトラックタイトル名「オンリー・ユー／プラターズ」が表示され（図１９（２）参照）、トラックナンバ００２のの再生中は、当該トラックのトラックタイトル名「スタンド・バイ・ミー／ベン・Ｅ・キング」が表示されるので（図１９（３）参照）、所望曲か否か一目で確認することができる（ステップＳ８５、Ｓ８６）。
【００５２】
この実施の態様によれば、ユーザがタイトル入力対象単位としてディスク全体を選択し、タイトル名入力操作を行ってディスクタイトル名を入力する際、または、タイトル入力対象単位として００１〜２５５の内の或るトラックナンバを選択し、タイトル名入力操作を行ってトラックタイトル名を入力する際、タイトル名の全部または一部の文字情報に、ＦＭ文字多重放送からの受信文字情報を転用できるので、タイトル名入力作業を簡単に実行することができる。
しかも、ＦＭ文字多重放送から取り込む際、受信文字情報中の連続するスペースの如く冗長な文字情報については自動的に削除するようにしたので、後で、タイトル名表示させたときに見易くなり、またタイトル名表示を見易くするために当該冗長な文字情報を削除しておく手間が省ける。更に、ディスクタイトル名、トラックタイトル名ともに最大文字数が限られているが、受信文字情報中の冗長な文字情報が自動的に削除されることで、有意味な多くの文字情報をタイトル名に含めることもできる。
【００５３】
なお、上記した実施の態様では、タイトルとして、アルバム名、アルバム製作者名、曲名、アーティスト名を入力する場合を例に挙げて説明したが、本発明は何らこれに限定されず、映画のタイトル名、歌詞の一部、曲の解説、曲とは直接関係しない人名、地名、本の題名など、ディスク、トラックが所望のものか判別可能な任意の文字情報として良い。
また、第１システムコントローラ１７は取り込みキーが押され時点での表示バッファ領域５Ａの受信文字情報を取り込み用バッファ領域５Ｂに書き込む際に、連続するスペースの如く冗長な文字情報については自動的に削除するようにしたが、取り込みの際には削除せず、呼び出しキーとカーソルキーの操作に従い、取り込み用バッファ領域５Ｂから所望の受信文字情報を文字表示器６に表示させた状態でＥＮＴＥＲキーが押されたときに、表示中の受信文字情報をタイトル入力作業領域５Ｃに、現在のタイトル入力対象単位に対応付けて書き込む際に削除するようにしても良い。
【００５４】
また、冗長な文字情報を削除する際、受信文字情報中のスペースを、スペース以外の文字の直後の１つを残して他を全て削除するようにしたが、スペース以外の文字に挟まれた部分のスペースを１つだけ残し、他のスペースは削除し、かつ、当該１つだけ残したスペースを、「／」などの区切り記号に自動的に書き換えるようにしても良い。
また、チューナユニット１とＭＤレコーダユニット１０を一体化し、第１システムコントローラ７と第２システムコントローラ１７の機能を１つのコントローラで実現するようにしても良い。
また、ＭＤレコーダユニットが録音機能を有するとき、録音が終了時点でも、ＵＴＯＣメモリのＵＴＯＣ情報をＭＤ−ＭＯに記録させるようにしても良い。
また、文字情報を受信するチューナ３は例えばＴＶ文字多重放送受信チューナなど、ＦＭ文字多重放送受信チューナ以外の種類に代えても良い。また、タイトル名の入力対象媒体はＭＤ−ＭＯに限定されず、ＶＴＲカセットテープ、ＤＡＴカセットテープ、ＤＶＤ−ＲＡＭなど他の種類であっても良い。
【００５５】
【発明の効果】
本発明によれば、文字放送から受信した内、所望の複数の時点毎での複数の受信文字情報を取り込み、そのまま所望のタイトル入力対象のタイトル名に転用して記録媒体に記録させることができ、ユーザのタイトル入力作業の手間を大幅に軽減することができる。
【図面の簡単な説明】
【図１】本発明の一つの実施の態様に係るシステムオーディオのブロック図である。
【図２】第１システムコントローラの制御処理を示すフローチャートである。
【図３】第１システムコントローラの制御処理を示すフローチャートである。
【図４】第１システムコントローラの制御処理を示すフローチャートである。
【図５】第２システムコントローラの制御処理を示すフローチャートである。
【図６】第２システムコントローラの制御処理を示すフローチャートである。
【図７】第２システムコントローラの制御処理を示すフローチャートである。
【図８】チューナユニットの文字表示器の表示内容の説明図である。
【図９】チューナユニットの文字表示器の表示内容の説明図である。
【図１０】チューナユニットの文字表示器の表示内容の説明図である。
【図１１】チューナユニットの文字表示器の表示内容の説明図である。
【図１２】チューナユニットのメモリの表示バッファ領域の記憶内容の説明図である。
【図１３】チューナユニットのメモリの取り込み用バッファ領域の記憶内容の説明図である。
【図１４】チューナユニットのメモリのタイトル入力作業領域の記憶内容の説明図である。
【図１５】チューナユニットのメモリのタイトル入力作業領域の記憶内容の説明図である。
【図１６】チューナユニットのメモリのタイトル入力作業領域の記憶内容の説明図である。
【図１７】チューナユニットのメモリのタイトル入力作業領域の記憶内容の説明図である。
【図１８】ＭＤ−ＭＯの記録内容の説明図である。
【図１９】ＭＤレコーダの文字表示器の表示内容の説明図である。
【図２０】従来のタイトル入力操作時の文字表示器の表示内容の説明図である。
【図２１】従来のタイトル入力操作時の文字表示器の表示内容の説明図である。
【図２２】従来のタイトル入力操作時の文字表示器の表示内容の説明図である。
【符号の説明】
１  チューナユニット              ２  アンテナ
３  ＦＭ文字多重放送受信チューナ  ４、１４  キー操作部
５  メモリ                        ５Ａ  表示バッファ領域
５Ｂ  取り込み用バッファ領域      ５Ｃ  タイトル入力作業領域
６、１６  文字表示器              ７  第１システムコントローラ
１０  ＭＤレコーダユニット        １１  ＭＤ−ＭＯ
１２  ローディング部              １３  ＭＤ記録・再生部
１５  ＵＴＯＣメモリ              １７  第２システムコントローラ
【図１】
0003552474.tif 000002
【図２】
0003552474.tif 000003
【図３】
0003552474.tif 000004
【図４】
0003552474.tif 000005
【図５】
0003552474.tif 000006
【図６】
0003552474.tif 000007
【図７】
0003552474.tif 000008
【図８】
0003552474.tif 000009
【図９】
0003552474.tif 000010
【図１０】
0003552474.tif 000011
【図１１】
0003552474.tif 000012
【図１２】
0003552474.tif 000013
【図１３】
0003552474.tif 000014
【図１４】
0003552474.tif 000015
【図１５】
0003552474.tif 000016
【図１６】
0003552474.tif 000017
【図１７】
0003552474.tif 000018
【図１８】
0003552474.tif 000019
【図１９】
0003552474.tif 000020
【図２０】
0003552474.tif 000021
【図２１】
0003552474.tif 000022
【図２２】
0003552474.tif 000023